(57)【特許請求の範囲】
【請求項１】
間隙をあけて隣接して配置される２つの壁板の間に取り付けて用いられる内装用建材であって、
固定部材と被覆部材とから成り、
前記固定部材は、各壁板の端部の裏側に沿って取付け可能な取付け部と、前記取付け部を各壁板の裏側に取り付けたとき各壁板の表側方向に突出するよう前記取付け部に設けられた支持部とを有し、前記支持部は、二股に分かれ内側に弾力的に挟んで支持する構成を有し、
前記被覆部材は、各壁板の間隙の少なくとも一部を表側から覆うための被覆本体と、前記被覆本体の裏側に設けられて前記支持部と着脱可能な突出部とを有し、前記被覆本体は縁部が可撓性を有し蛇腹状に折れ曲がって裏側に湾曲しており、壁板に当って支持するための脚部を裏側の中間部に有することを、特徴とする内装用建材。
【発明の詳細な説明】
【０００１】
【発明の属する技術分野】
本発明は、建築物の出隅や入隅、壁板の接合部などに設けられて、間隙を覆うための内装用建材に関する。
【０００２】
【従来の技術】
従来、建築物の出隅や入隅などは、隙間ができないよう精密な寸法で施工されている。ところで、従来の内装用建材として、室内側に表れた柱の表面を覆うよう柱に固定される化粧板がある。
【０００３】
【発明が解決しようとする課題】
しかしながら、出隅や入隅などを隙間ができないよう精密に施工するには、寸法の測定や切断などの建材の準備や施工に熟練を要するとともに手間がかかるという課題があった。従来の内装用建材は、出隅や入隅の隙間を覆う目的で用いた場合、壁板に釘または接着剤で固定されるため、内装用建材自体が傷むとともに壁板をも傷めてしまう。このため、建て替えや建て増しの際に、内装用建材や壁板の再利用ができないという課題があった。
【０００４】
本発明は、このような従来の課題に着目してなされたもので、建材の準備や施工に要求される熟練のレベルを下げたり手間を省いたりすることができ、また、再利用を可能にする内装用建材を提供することを目的としている。
【０００５】
【課題を解決するための手段】
上記目的を達成するために、本発明に係る内装用建材は、間隙をあけて隣接して配置される２つの壁板の間に取り付けて用いられる内装用建材であって、固定部材と被覆部材とから成り、前記固定部材は、各壁板の端部の裏側に沿って取付け可能な取付け部と、前記取付け部を各壁板の裏側に取り付けたとき各壁板の表側方向に突出するよう前記取付け部に設けられた支持部とを有し、前記支持部は、二股に分かれ内側に弾力的に挟んで支持する構成を有し、前記被覆部材は、各壁板の間隙の少なくとも一部を表側から覆うための被覆本体と、前記被覆本体の裏側に設けられて前記支持部と着脱可能な突出部とを有し、前記被覆本体は縁部が可撓性を有し蛇腹状に折れ曲がって裏側に湾曲しており、壁板に当って支持するための脚部を裏側の中間部に有することを、特徴とする。
【０００６】
支持部および突出部は、支持力を高めるため、接触箇所に凹凸を有してもよい。
【０００７】
本発明に係る内装用建材を用いて施工する場合、まず、固定部材を、間隙をあけた２つの壁板の端部の裏側に沿って取り付ける。このとき、支持部は、２つの壁板の間で壁板の表側方向に突出するよう配置する。被覆部材の突出部を各板材の表側から支持部に取り付ける。被覆本体により、各壁板の間隙の少なくとも一部を表側から覆う。
【０００８】
出隅や入隅などを施工する場合、２つの壁板の間隙を被覆本体により覆って表側から隠すことができるので、出隅や入隅などに用いる壁板の寸法精度を上げる必要がない。従って、壁板の寸法の測定や切断などの準備または施工に要求される熟練のレベルを下げたり手間を省いたりすることができる。また、被覆部材は、突出部により支持部と着脱可能なため、固定部材から取り外して再利用が可能である。
【００１６】
本発明に係る内装用建材では、固定部材の取付け部を２つの壁板の裏側にまたがるよう取り付け、各壁板の表側から被覆部材の突出部を支持部に取り付けることにより、２つの壁板の間隙を覆うことができる。被覆本体は縁部が可撓性を有し蛇腹状に折れ曲がって裏側に湾曲しているため、蛇腹を伸ばしたり縮めたりして、被覆本体の厚さを任意の厚さに設定することができる。
【００１９】
本発明に係る内装用建材は、突出部を支持部に差し込んだり支持部から引き抜いたりするだけで容易に被覆部材の着脱を行うことができる。
【００２２】
【発明の実施の形態】
以下、図面に基づき本発明の各種実施の形態について説明する。
図１は、本発明の関連の実施の形態を示している。
図１に示すように、本発明の関連の実施の形態の建物内装構造は、２つの板材１ａ，１ｂと内装用建材２とを有する。内装用建材２は、入隅に用いられて入隅の間隙３を覆うための建材である。入隅は、壁を構成する２つの板材１ａ，１ｂを互いに平角以外の角度、例えば直角に配置したとき各板材１ａ，１ｂの内側に形成される。２つの板材１ａ，１ｂは、隣接して配置され、それぞれの面を延長しても交差しない間隙３を有している。
【００２３】
内装用建材２は、固定部材４と被覆部材５とカバー６とから成る。固定部材４は、取付け部４ａと、支持部４ｂとを有する。取付け部４ａは、互いに直角をなす２つの板材１ａ，１ｂにまたがるよう直角に折れ曲がった形状を有する。取付け部４ａは、ねじ釘、接着剤などで各板材１ａ，１ｂの端部の裏側に沿って取付け可能である。支持部４ｂは、直角をなす取付け部４ａの角の内側に一体的に設けられている。支持部４ｂは、二股に分かれ内側に弾力的に挟んで支持する構成を有している。支持部４ｂは、支持力を高めるため、内側の接触箇所に凹凸４ｃを有している。支持部４ｂの先端４ｄは、差込みを容易にするため、外側にわずかに開いている。固定部材４は、支持部４ｂを中心として対称の形状を有している。支持部４ｂは、取付け部４ａを各板材１ａ，１ｂの裏側に取り付けたとき各板材１ａ，１ｂの表側方向に突出するよう取付け部４ａに設けられている。
【００２４】
被覆部材５は、被覆本体５ａと、突出部５ｂとを有する。被覆本体５ａは、各板材１ａ，１ｂの表側に沿うよう直角に折れ曲がった形状を有する。被覆本体５ａは、縁部５ｃが裏側に折り返すように湾曲している。被覆本体５ａは、板材１ａ，１ｂに当たって支持するための脚部５ｄを裏側の中間部に有する。被覆本体５ａは、各板材１ａ，１ｂの間隙３を表側から覆うための部材である。突出部５ｂは、被覆本体５ａの裏側にあり、直角をなす被覆本体５ａの角の外側に一体的に設けられている。被覆部材５は、突出部５ｂを中心として対称の形状を有している。突出部５ｂは、板状または棒状であって、支持部４ｂに差し込んだり支持部４ｂから引き抜いたりすることにより支持部４ｂと着脱可能となっている。突出部５ｂは、支持力を高めるため、外側に凹凸５ｅを有している。カバー６は、プラスチック製であって、被覆本体５ａに覆うように固定される。
【００２５】
内装用建材２を用いて建物内装構造を施工する場合、まず、固定部材４の取付け部４ａを入隅を構成する２つの板材１ａ，１ｂの端部の裏側に沿って取り付ける。このとき、支持部４ｂは、取付け部４ａから２つの板材１ａ，１ｂの間で板材１ａ，１ｂの表側方向に突出するよう配置する。被覆部材５の突出部５ｂを、各板材１ａ，１ｂの表側から入隅の支持部４ｂに差し込んで取り付ける。被覆本体５ａおよびカバー６により、各板材１ａ，１ｂの間隙３を表側から覆う。この建物内装構造により、入隅の間隙３を覆うことができる。
【００２６】
このように、入隅の２つの板材１ａ，１ｂの間隙３を被覆本体５ａにより覆って表側から隠すことができるので、入隅に用いる板材１ａ，１ｂの寸法精度を上げる必要がない。従って、板材１ａ，１ｂの寸法の測定や切断などの準備または施工に要求される熟練のレベルを下げたり手間を省いたりすることができる。また、被覆部材５は、突出部５ｂにより支持部４ｂと着脱可能なため、固定部材４から取り外して再利用が可能である。
【００２７】
図１に示すように、本発明の関連の形態の建物内装構造は、２つの板材１ｂ，１ｃと内装用建材１２とを有する。内装用建材１２は、出隅に用いられて出隅の間隙１３を覆うための建材である。出隅は、壁を構成する２つの板材１ｂ，１ｃを互いに平角以外の角度、例えば直角に配置したとき各板材１ｂ，１ｃの外側に形成される。２つの板材１ｂ，１ｃは、それぞれの面を延長しても交差しない間隙１３を有している。
【００２８】
内装用建材１２は、固定部材１４と被覆部材１５とカバー１６とから成る。固定部材１４は、取付け部１４ａと、支持部１４ｂとを有する。取付け部１４ａは、互いに直角をなす２つの板材１ｂ，１ｃにまたがるよう直角に折れ曲がった形状を有する。取付け部１４ａは、ねじ釘、接着材などで各板材１ｂ，１ｃの端部の裏側に沿って取付け可能である。支持部１４ｂは、直角をなす取付け部１４ａの角の外側に一体的に設けられている。支持部１４ｂは、二股に分かれ内側に弾力的に挟んで支持する構成を有している。支持部１４ｂは、支持力を高めるため、内側の接触箇所に凹凸１４ｃを有している。支持部１４ｂの先端１４ｄは、差込みを容易にするため、外側にわずかに開いている。固定部材１４は、支持部１４ｂを中心として対称の形状を有している。支持部１４ｂは、取付け部１４ａを各板材１ｂ，１ｃの裏側に取り付けたとき各板材１ｂ，１ｃの表側方向に突出するよう取付け部１４ａに設けられている。
【００２９】
被覆部材１５は、被覆本体１５ａと、突出部１５ｂとを有する。被覆本体１５ａは、各板材１ｂ，１ｃの表側に沿って各板材１ｂ，１ｃにまたがるよう折れ曲がった形状を有する。被覆本体１５ａは、縁部１５ｃが裏側に折り返すように湾曲している。被覆本体１５ａは、板材１ｂ，１ｃに当たって支持するための脚部１５ｄを裏側の中間部に有する。被覆本体１５ａは、各板材１ｂ，１ｃの間隙１３を表側から覆うための部材である。突出部１５ｂは、被覆本体１５ａの裏側中央に一体的に設けられている。突出部１５ｂは、板状または棒状であって、支持部１４ｂに差し込んだり支持部１４ｂから引き抜いたりすることにより支持部１４ｂと着脱可能となっている。突出部１５ｂは、支持力を高めるため、外側に凹凸１５ｅを有している。カバー１６は、プラスチック製であって、被覆本体１５ａに覆うように固定される。
【００３０】
内装用建材１２を用いて建物内装構造を施工する場合、まず、固定部材１４の取付け部１４ａを出隅を構成する２つの板材１ｂ，１ｃの端部の裏側に沿って取り付ける。このとき、支持部１４ｂは、２つの板材１ｂ，１ｃの間で板材１ｂ，１ｃの表側方向に突出するよう配置する。被覆部材１５の突出部１５ｂを、各板材１ｂ，１ｃの表側から出隅の支持部１４ｂに差し込んで取り付ける。被覆本体１５ａおよびカバー１６により、各板材１ｂ，１ｃの間隙１３を表側から覆う。これにより、出隅の間隙１３を覆うことができる。
【００３１】
このように、出隅の２つの板材１ｂ，１ｃの間隙１３を被覆本体１５ａにより覆って表側から隠すことができるので、出隅に用いる板材１ｂ，１ｃの寸法精度を上げる必要がない。従って、板材１ｂ，１ｃの寸法の測定や切断などの準備または施工に要求される熟練のレベルを下げたり手間を省いたりすることができる。また、被覆部材１５は、突出部１５ｂにより支持部１４ｂと着脱可能なため、固定部材１４から取り外して再利用が可能である。
【００３２】
図２は、本発明の実施の形態を示している。
図２に示すように、内装用建材２２は、間隙２３をあけて隣接して配置される２つの壁板２１ａ，２１ｂの間隙２３を覆うための建材である。内装用建材２２は、被覆部材２４と固定部材２５とから成る。
【００３３】
固定部材２５は、取付け部２４ａと、支持部２４ｂとを有する。取付け部２４ａは、平坦な板状をなしている。取付け部２４ａは、各壁板２１ａ，２１ｂの端部の裏側に沿ってねじ釘、接着剤などで間柱や胴縁などに取付け可能である。支持部２４ｂは、取付け部２４ａに対し直角をなすよう取付け部２４ａの中央に一体的に設けられている。支持部２４ｂは、二股に分かれ内側に弾力的に挟んで支持する構成を有している。支持部２４ｂは、支持力を高めるため、内側の接触箇所に凹凸２４ｃを有している。支持部２４ｂの先端２４ｄは、差込みを容易にするため、外側にわずかに開いている。固定部材２５は、支持部２４ｂを中心として対称の形状を有している。支持部２４ｂは、取付け部２４ａを各壁板２１ａ，２１ｂの裏側に取り付けたとき各壁板２１ａ，２１ｂの表側方向に突出するよう取付け部２４ａに設けられている。
【００３４】
被覆部材２４は、被覆本体２５ａと、突出部２５ｂとを有する。被覆本体２５ａは、板状であって、縁部２５ｃが可撓性を有し蛇腹状に折れ曲がって裏側に湾曲している。被覆本体２５ａは、壁板２１ａ，２１ｂに当たって支持するための脚部２５ｄを裏側の中間部に有する。被覆本体２５ａは、各壁板２１ａ，２１ｂの間隙２３を表側から覆うための部材である。突出部２５ｂは、被覆本体２５ａの裏側にあり、被覆本体２５ａに対し直角をなすよう被覆本体２５ａの中央に一体的に設けられている。被覆部材２４は、突出部２５ｂを中心として対称の形状を有している。突出部２５ｂは、板状または棒状であって、支持部２４ｂに差し込んだり支持部２４ｂから引き抜いたりすることにより支持部２４ｂと着脱可能となっている。突出部２５ｂは、支持力を高めるため、外側に凹凸２５ｅを有している。
【００３５】
内装用建材２２を用いて建物内装構造を施工する場合、まず、固定部材２５の取付け部２４ａを間柱または胴縁に固定する。その上から壁板２１ａ，２１ｂを間柱または胴縁に固定する。こうして、固定部材２５の取付け部２４ａを、隣接する２つの壁板２１ａ，２１ｂの端部の裏側に沿ってまたがるよう取り付ける。このとき、支持部２４ｂは、２つの壁板２１ａ，２１ｂの間で壁板２１ａ，２１ｂの表側方向に突出するよう配置する。被覆部材２４の突出部２５ｂを、各壁板２１ａ，２１ｂの表側から支持部２４ｂに差し込んで取り付ける。被覆本体２５ａにより、各壁板２１ａ，２１ｂの間隙２３を表側から覆う。この建物内装構造により、壁板２１ａ，２１ｂなどの間隙２３を覆うことができる。被覆本体２５ａは縁部２５ｃが可撓性を有し蛇腹状に折れ曲がって裏側に湾曲しているため、蛇腹を伸ばしたり縮めたりして、被覆本体２５ａの厚さを任意の厚さに設定することができる。
【００３６】
図３は、本発明の関連の実施の形態を示している。
図３に示すように、建物内装構造は、床板３１ａ，壁板３１ｂと内装用建材３２とを有する。内装用建材３２は、床板３１ａと壁板３１ｂとを構成する２つの板材の入隅に用いられて入隅の間隙３３を覆うための建材である。床板３１ａ，壁板３１ｂは隣接して配置され、床板３１ａの端部の上方に間隙３３をあけて壁板３１ｂが垂直に配置されている。
【００３７】
内装用建材３２は、固定部材３４と被覆部材３５とカバー３６とから成る。固定部材３４は、取付け部３４ａと、支持部３４ｂとを有する。取付け部３４ａは、互いに直角をなす床板３１ａ，壁板３１ｂのそれぞれ裏側および表側に沿って取付け可能に直角に折れ曲がった形状を有する。取付け部３４ａの床板３１ａに沿って取り付けられる面の先端側３４ｃは、断面が円形状になって厚くなっている。取付け部３４ａは、ねじ釘、接着剤などで各床板３１ａ，壁板３１ｂの端部の裏側および表側に沿って取付け可能である。支持部３４ｂは、取付け部３４ａの壁板３１ｂに沿って取り付けられる面３４ｄの内側に一体的に設けられている。支持部３４ｂは、二股に分かれ、取付け部３４ａに対し直角をなしている。支持部３４ｂは、取付け部３４ａを壁板３１ｂの裏側および床板３１ａの表側に取り付けたとき各床板３１ａ，壁板３１ｂの表側方向に突出するよう取付け部３４ａに設けられている。
【００３８】
被覆部材３５は、被覆本体３５ａと、突出部３５ｂとを有する。被覆本体３５ａは、上端が壁板３１ｂに対し垂直に当たり、下端が床板３１ａに対し垂直に当たるよう折れ曲がった形状を有する。被覆本体３５ａは、各床板３１ａ，壁板３１ｂの間隙３３を表側から覆うための部材である。突出部３５ｂは、被覆本体３５ａの裏側に一体的に設けられている。突出部３５ｂは、板状または棒状であって、支持部３４ｂに差し込んだり支持部３４ｂから引き抜いたりすることにより支持部３４ｂと着脱可能となっている。カバー３６は、プラスチック製であって、被覆本体３５ａに覆うように固定される。
【００３９】
内装用建材３２を用いて建物内装構造を施工する場合、まず、固定部材３４の取付け部３４ａを、入隅を構成する壁板３１ｂの裏側および床板３１ａの表側に沿って取り付ける。このとき、支持部３４ｂは、壁板３１ｂの下端に当たりながら床板３１ａ，壁板３１ｂの間で床板３１ａ，壁板３１ｂの表側方向に突出するよう配置する。被覆部材３５の突出部３５ｂを、各床板３１ａ，壁板３１ｂの表側から入隅の支持部３４ｂに差し込んで取り付ける。被覆本体３５ａおよびカバー３６により、各床板３１ａ，壁板３１ｂの間隙３３を表側から覆う。この建物内装構造により、入隅の間隙３３を覆うことができる。
【００４０】
なお、建物内装構造は、図４に示すような構造を有していてもよい。すなわち、  図４に示すように、建物内装構造は、２つの板材４１ａ，４１ｂと内装用建材４２とを有する。内装用建材４２は、固定部材４４と被覆部材４５とから成る。固定部材４は、取付け部４４ａと、支持部４４ｂとを有する。被覆部材４５は、被覆本体４５ａと、突出部４５ｂとを有する。また、内装用建材の被覆部材は、図５に示すような構造を有していてもよい。すなわち、被覆部材５１は、被覆本体５１ａと、突出部５１ｂとを有する。
【００４１】
【発明の効果】
本発明に係る内装用建材によれば、建材の準備や施工に要求される熟練のレベルを下げたり手間を省いたりすることができ、また、再利用が可能である。
【図面の簡単な説明】
【図１】  本発明の関連の実施の形態の建物内装構造を示す断面図である。
【図２】  本発明の実施の形態の建物内装構造を示す断面図である。
【図３】  本発明の関連の実施の形態の建物内装構造を示す断面図である。
【図４】  本発明の関連の他の実施の形態の建物内装構造を示す断面図である。
【図５】  本発明の関連の他の実施の形態の内装用建材の被覆部材を示す（Ａ）平面図、（Ｂ）正面図、（Ｃ）正面側斜視図、（Ｄ）底面図である。
【符号の説明】
１ａ，１ｂ  板材
２  内装用建材
３  間隙
４  固定部材
４ａ  取付け部
４ｂ  支持部
５  被覆部材
５ａ  被覆本体
５ｂ  突出部
６  カバー
【図１】
0004662609.tif 000002
【図２】
0004662609.tif 000003
【図３】
0004662609.tif 000004
【図４】
0004662609.tif 000005
【図５】
0004662609.tif 000006